【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
通信用の装置であって、ここにおいて、前記装置は、第２の装置に関連付けられるように構成され、前記装置はサーバに対して認証されるように構成され、前記装置は、
前記サーバから暗号マスターキーを受信するように構成された第１の通信デバイスと、
前記暗号マスターキーを前記第２の装置に送るように構成された第２の通信デバイスと
を備え、前記第２の通信デバイスは、前記第２の装置によってトンネリングされるが、解読されない、暗号化されたメッセージを介して第３の装置と通信するようにさらに構成され、前記第３の装置は、前記第２の装置に関連付けられるが、前記装置には関連付けられず、各暗号化されたメッセージは、ローカルエリアネットワーク上で動作する拡張認証プロトコル（ＥＡＰＯＬ）メッセージを備える、装置。
【請求項２】
前記暗号マスターキーは、ペアワイズマスターキーを備える、
請求項１に記載の装置。
【請求項３】
前記暗号マスターキーは、ローカルエリアネットワーク上で動作する拡張認証プロトコル（ＥＡＰＯＬ）メッセージを介して前記第２の装置に送られる、
請求項１に記載の装置。
【請求項４】
前記サーバは、ＲＡＤＩＵＳサーバまたはＤＩＡＭＥＴＥＲサーバを備える、
請求項１に記載の装置。
【請求項５】
前記第２の装置は、中継器である、
請求項１に記載の装置。
【請求項６】
通信の方法であって、ここにおいて、第１の装置は、第２の装置に関連付けられ、前記第１の装置は、サーバに対して認証され、前記方法は、
前記第１の装置が、前記サーバから暗号マスターキーを受信することと、
前記暗号マスターキーを前記第２の装置に送ることと、
前記第２の装置によってトンネリングされるが、解読されない、暗号化されたメッセージを介して第３の装置と通信することと、
を備え、前記第３の装置は、前記第２の装置に関連付けられるが、前記第１の装置には関連付けられず、各暗号化されたメッセージは、ローカルエリアネットワーク上で動作する拡張認証プロトコル（ＥＡＰＯＬ）メッセージを備える、方法。
【請求項７】
前記暗号マスターキーは、ペアワイズマスターキーを備える、
請求項６に記載の方法。
【請求項８】
前記暗号マスターキーは、ローカルエリアネットワーク上で動作する拡張認証プロトコル（ＥＡＰＯＬ）メッセージを介して前記第２の装置に送られる、
請求項６に記載の方法。
【請求項９】
前記サーバは、ＲＡＤＩＵＳサーバまたはＤＩＡＭＥＴＥＲサーバを備える、
請求項６に記載の方法。
【請求項１０】
前記第２の装置は、中継器である、
請求項６に記載の方法。
【請求項１１】
通信用の装置であって、ここにおいて、第２の装置は、前記装置に関連付けられるように構成され、前記装置は、第３の装置に関連付けられるように構成され、前記装置は、
前記第２の装置から暗号マスターキーを受信するように構成された通信デバイス、ここにおいて、前記暗号マスターキーは、前記第２の装置に関連付けられたサーバからである、と、
ワイヤレスチャネルを介して前記第３の装置と安全な通信を確立するために前記暗号マスターキーを使用するように構成された処理システムと
を備え、前記通信デバイスは、暗号化されたメッセージを解読することなく、前記第２の装置と前記第３の装置との間で前記暗号化されたメッセージをトンネリングするようにさらに構成され、前記処理システムは、前記暗号マスターキーからの第２の暗号キー、前記装置のＭＡＣアドレス、前記第３の装置のＭＡＣアドレス、前記装置によって選択されたナンス、および前記第３の装置によって選択されたナンスを取得するようにさらに構成される、装置。
【請求項１２】
前記暗号マスターキーは、ペアワイズマスターキーを備える、
請求項１１に記載の装置。
【請求項１３】
前記暗号マスターキーは、ローカルエリアネットワーク上で動作する拡張認証プロトコル（ＥＡＰＯＬ）メッセージを介して受信される、
請求項１１に記載の装置。
【請求項１４】
前記第２の暗号キーは、ペアワイズトランジエントキーを備える、
請求項１１に記載の装置。
【請求項１５】
各暗号化されたメッセージは、ローカルエリアネットワーク上で動作する拡張認証プロトコル（ＥＡＰＯＬ）メッセージを備える、
請求項１１に記載の装置。
【請求項１６】
前記第３の装置と前記通信することは、ローカルエリアネットワーク上で動作する拡張認証プロトコル（ＥＡＰＯＬ）を用いる、
請求項１１に記載の装置。
【請求項１７】
前記サーバは、ＲＡＤＩＵＳサーバまたはＤＩＡＭＥＴＥＲサーバを備える、
請求項１１に記載の装置。
【請求項１８】
通信の方法であって、ここにおいて、第１の装置は、第２の装置に関連付けられ、前記第２の装置は、第３の装置に関連付けられ、前記方法は、
前記第２の装置が、前記第１の装置から暗号マスターキーを受信すること、ここにおいて、前記暗号マスターキーは、前記第１の装置に関連付けられたサーバからである、と、
ワイヤレスチャネルを介して前記第３の装置と安全な通信を確立するために前記暗号マスターキーを使用することと、
前記暗号マスターキーからの第２の暗号キー、前記第２の装置のＭＡＣアドレス、前記第３の装置のＭＡＣアドレス、前記第２の装置によって選択されたナンス、および前記第３の装置によって選択されたナンスを取得することと、
暗号化されたメッセージを解読することなく、前記第１の装置と前記第３の装置との間で前記暗号化されたメッセージをトンネリングすることと
を備える、方法。
【請求項１９】
前記暗号マスターキーは、ペアワイズマスターキーを備える、
請求項１８に記載の方法。
【請求項２０】
前記暗号マスターキーは、ローカルエリアネットワーク上で動作する拡張認証プロトコル（ＥＡＰＯＬ）メッセージを介して受信される、
請求項１８に記載の方法。
【請求項２１】
前記第２の暗号キーは、ペアワイズトランジエントキーを備える、
請求項１８に記載の方法。
【請求項２２】
各暗号化されたメッセージは、ローカルエリアネットワーク上で動作する拡張認証プロトコル（ＥＡＰＯＬ）メッセージを備える、
請求項１８に記載の方法。
【請求項２３】
通信用のアクセスポイントであって、前記アクセスポイントは、中継器に関連付けられるように構成され、前記アクセスポイントはサーバに対して認証されるように構成され、前記アクセスポイントは、
少なくとも１つのアンテナと、
前記少なくとも１つのアンテナを介して、前記サーバから暗号マスターキーを受信するように構成された第１の通信デバイスと、
前記少なくとも１つのアンテナを介して、前記暗号マスターキーを前記中継器に送るように構成された第２の通信デバイスと
を備え、前記第２の通信デバイスは、前記少なくとも１つのアンテナを介して、前記中継器によってトンネリングされるが、解読されない、暗号化されたメッセージを介して局と通信するようにさらに構成され、前記局は、前記中継器に関連付けられるが、前記アクセスポイントには関連付けられず、各暗号化されたメッセージは、ローカルエリアネットワーク上で動作する拡張認証プロトコル（ＥＡＰＯＬ）メッセージを備える、アクセスポイント。
【請求項２４】
通信用の中継器であって、前記中継器は、アクセスポイントに関連付けられ、前記中継器は、局に関連付けられ、前記中継器は、
少なくとも１つのアンテナと、
前記少なくとも１つのアンテナを介して、前記アクセスポイントから暗号マスターキーを受信するように構成された通信デバイス、ここにおいて、前記暗号マスターキーは、前記アクセスポイントに関連付けられたサーバからである、と、
ワイヤレスチャネルを介して前記局と安全な通信を確立するために前記暗号マスターキーを使用するように構成された処理システムと
を備え、前記処理システムは、前記暗号マスターキーからの第２の暗号キー、前記中継器のＭＡＣアドレス、前記局のＭＡＣアドレス、前記中継器によって選択されたナンス、および前記局によって選択されたナンスを取得するようにさらに構成され、前記通信デバイスは、暗号化されたメッセージを解読することなく、前記アクセスポイントと前記局との間で前記暗号化されたメッセージをトンネリングするようにさらに構成される、中継器。